【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
ねじであって、
少なくとも一部分にわたって複数のねじ山を有する細長い胴部であって、当該ねじ山は前記胴部の第１の端部の先端部で終端するものである、前記細長い胴部と、
前記胴部の第２の端部に配置され、実質的に平坦な座面を有する頭部と、
前記頭部の座面上周方向に配置された複数のカッターであって、前記ねじが挿入される繊維状物質の表面から物質を切除することにより、座ぐり加工を促進するようになっているものである、前記カッターと、
前記カッターから径方向に離間して配置された複数のポケットであって、前記ねじが前記繊維状物質に挿入されるとき前記繊維状物質の少なくとも一部を収容するものである、前記ポケットと
を有するねじ。
【請求項２】
請求項１記載のねじにおいて、前記複数のポケットは、前記胴部の周方向に配置され、且つ前記カッターから径方向内側に配置されるものであるねじ。
【請求項３】
請求項２記載のねじにおいて、前記カッターの数は前記ポケットの数より多いいものであるねじ。
【請求項４】
請求項１〜３のいずれか１つに記載のねじにおいて、前記カッターは、四辺形くさび形状であるねじ。
【請求項５】
請求項１〜３のいずれか１つに記載のねじにおいて、前記カッターは、三角形くさび形状であるねじ。
【請求項６】
１つの繊維状物質にねじを締結させる方法であって、
前記繊維状物質の表面に前記ねじの先端部を位置付ける工程と、
前記ねじに回転力を加えて前記ねじの頭部の座面に備えられたカッターが前記繊維状物質の表面から前記繊維状物質の一部を切除するまで前記ねじをねじ込む工程であって、これにより、前記ねじの頭部の前記繊維状物質の表面に対する座ぐり加工が促進されるものであり、前記回転力は前記繊維状物質の一部が前記ねじの頭部の座面に形成された複数のポケットに進入するまで加えられるものである、前記回転力を加える工程と
を有する方法。
【請求項７】
請求項６記載の方法において、前記繊維状物質は、前記胴部の座面に形成され、且つ前記カッターから径方向内側に配置された環状ポケットに進入するものである方法。
【請求項８】
ねじ山を有する締結部材であって、
胴部と、
前記胴部の一端部に配置され、座面を有する頭部であって、
当該座面に、繊維状物質の表面に対して前記頭部を座ぐり加工する複数のカッターが配置されているものであり、
前記頭部は、さらに、前記胴部の周囲に配置され、且つ前記カッターから径方向内側に配置される複数のポケットを含み、当該複数のポケットは前記ねじ部品が挿入されるとき、前記繊維状物質の一部を収容するものである、
前記頭部と
を有する締結部材。
【請求項９】
請求項８記載の締結部材において、複数の三角形くさび形状のカッターを有するものである締結部材。
【請求項１０】
請求項８記載の締結部材において、複数の四辺形くさび形状のカッターを有するものである締結部材。
【請求項１１】
請求項８記載の締結部材において、前記複数のポケットは、前記胴部の周方向に等間隔を置いて配置されるものである締結部材。
【手続補正２】
【補正対象書類名】明細書
【補正対象項目名】０００３
【補正方法】変更
【補正の内容】
【０００３】
木ねじ（またはその他の繊維状物質用のねじ）に関して常に問題となっていたことの１つは、時間の経過に伴って弛緩する傾向があるということである。そのため、自動皿座ぐりするだけでなくより弛緩し難い繊維状物質用の改善されたねじを提供することが非常に望まれている。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正３】
【補正対象書類名】明細書
【補正対象項目名】０００４
【補正方法】変更
【補正の内容】
【０００４】
【特許文献１】  米国特許第１５２７８３１号明細書
【特許文献２】  米国特許第２１１２４９４号明細書
【特許文献３】  米国特許第２８３３３２６号明細書
【特許文献４】  米国特許第２９５９２０４明細書
【特許文献５】  米国特許第２９８２１６６号明細書
【特許文献６】  米国特許第３３７０６３１号明細書
【特許文献７】  米国特許第３３８９７３４号明細書
【特許文献８】  米国特許第３４３８４１７号明細書
【特許文献９】  米国特許第４０９４３５２号明細書
【特許文献１０】  米国特許第４２２０１８８号明細書
【特許文献１１】  米国特許第４３１０２７２号明細書
【特許文献１２】  米国特許第４８１２０９５号明細書
【特許文献１３】  米国特許第４８２０２３５号明細書
【特許文献１４】  米国特許第４９６６５１２号明細書
【特許文献１５】  米国特許第５１８３３５９号明細書
【特許文献１６】  米国特許第５２４９８８２号明細書
【特許文献１７】  米国特許第５６２２４６４号明細書
【特許文献１８】  米国特許第５６８３２１７号明細書
【特許文献１９】  米国特許第６２０６７３７号明細書
【特許文献２０】  米国特許第６３０２６２９号明細書
【特許文献２１】  米国特許第６３３４７４８号明細書
【特許文献２２】  米国特許第７０１４４０６号明細書
【特許文献２３】  米国特許出願公開第２００７／００２４０２０号明細書
【特許文献２４】  英国特許第１５２８８５号明細書
【特許文献２５】  カナダ国特許第２５３７５２５号明細書
【特許文献２６】  カナダ国特許第２１９８８３２号明細書
【非特許文献】
【手続補正４】
【補正対象書類名】明細書
【補正対象項目名】０００５
【補正方法】変更
【補正の内容】
【０００５】
【非特許文献１】  ｌｎｔｅｒｎａｔｉｏｎａｌ  Ｐｒｅｌｉｍｉｎａｒｙ  Ｒｅｐｏｒｔ  ｏｎ  Ｐａｔｅｎｔａｂｉｌｉｔｙ  ｆｏｒ  ＰＣＴ／Ｃ４２０１０／０００８３８  ｄａｔｅｄ  Ｎｏｖｅｍｂｅｒ  １０，２０１１
【非特許文献２】  Ｏｆｆｉｃｅ  Ａｃｔｉｏｎ  ｆｏｒ  Ｕ．Ｓ．  Ｓｅｒ．  Ｎｏ．  １２１５６１，９３１  ｄａｔｅｄ  Ｄｅｃｅｍｂｅｒ  １４，  ２０１１
【発明の概要】
【課題を解決するための手段】
【手続補正５】
【補正対象書類名】明細書
【補正対象項目名】０００６
【補正方法】変更
【補正の内容】
【０００６】
広義において、本発明は、ねじ頭部の座面に複数のカッターと１若しくはそれ以上のポケットとを有する新規ねじを提供する。前記ねじが挿入されると、前記カッターは、前記ねじの頭部が当接する被加工物の表面から物質を刮げ取るまたは削り取ることにより、座ぐり加工する。前記１若しくはそれ以上のポケットは、前記ねじが挿入される前記被加工物から物質を収容し、これにより所定位置に前記ねじを固定する。前記ポケットに進入する物質により前記ねじの弛緩が防止される。
従って、本発明の主要な観点は細長い胴部を有するねじであって、当該胴部の少なくとも一部分にわたって複数のねじ山を有し、当該ねじ山は前記胴体の第１の端部の先端部で終端している。前記ねじは前記胴部の第２の端部に配置され、実質的に平坦な座面を有する頭部を有する。複数のカッターが前記頭部の座面に円周方向に配置されている。前記カッターは、前記ねじが挿入される繊維状物質の表面から物質を切除することによって座ぐり加工を促進するようになっている。少なくとも１つのポケットは前記カッターから径方向に離間して配置されており、前記ねじが前記繊維状物質に挿入されるとき、前記繊維状物質の少なくとも一部を収容する。
本発明の別の主要な観点は、１つの繊維状物質にねじを締結する方法である。前記方法は、前記繊維状物質の表面に前記ねじを位置付ける工程と、前記ねじに回転力を加えて、前記ねじの頭部の座面に位置するカッターが前記繊維状物質の表面から前記繊維状物質の一部を切除するまで前記ねじを前記繊維状物質にねじ込む工程であって、これにより前記ねじの頭部の前記繊維状物質の表面に対する座ぐり加工が促進されるものである、前記回転力を加える工程とを含む。前記回転力は、前記繊維状物質の一部が前記ねじの頭部の座面に形成された１若しくはそれ以上のポケットに進入するまで加えられる。